(57)【特許請求の範囲】
【請求項１】
撮像光学系を透過した被写体像を撮像する固体撮像素子を有するレンズユニットがカメラ本体に着脱自在とされたレンズ交換式カメラにおいて、
前記カメラ本体は、オートフォーカス用の補助光を発する補助光発光手段と、
前記補助光の分光特性を表す第１の情報を記憶する第１記憶手段と、
前記レンズユニットと各種信号を遣り取りする第１通信手段と、
各部の動作を統括的に制御する第１制御手段とを有し、
前記レンズユニットは、被写体像の鮮鋭度を表すフォーカス評価値を算出するフォーカス評価値算出手段と、
前記フォーカス評価値算出手段に入力する色信号を切り替える切り替え手段と、
前記切り替え手段で切り替え可能な色信号の分光特性を表す第２の情報を記憶する第２記憶手段と、
前記カメラ本体と各種信号を遣り取りする第２通信手段と、
各部の動作を統括的に制御する第２制御手段とを有し、
前記第１制御手段は、前記第１記憶手段から前記第１の情報を読み出し、前記第１通信手段を介して前記第１の情報を前記第２通信手段に送信させ、
前記第２制御手段は、前記第２記憶手段に記憶された前記第２の情報と、前記第２通信手段を介して受信した前記第１の情報との比較結果を元に、前記第１の情報と一致する分光特性を有する色信号が前記フォーカス評価値算出手段に入力されるように、前記切り替え手段を動作させることを特徴とするレンズ交換式カメラ。
【請求項２】
前記カメラ本体または／および前記レンズユニットは、前記カメラ本体への前記レンズユニットの装着を検知する装着検知手段を有し、
前記第１、第２通信手段は、前記装着検知手段で装着が検知されたことを契機に、前記第１の情報の送受信を行うことを特徴とする請求項１に記載のレンズ交換式カメラ。
【請求項３】
前記レンズユニットは、前記色信号から輝度信号を生成する輝度信号生成手段を有し、
前記切り替え手段は、前記色信号に加えて前記輝度信号も切り替え可能に構成されており、
前記第２制御手段は、前記第１の情報と前記第２の情報とが一致しなかった場合、あるいは、前記第１の情報が受信されなかった場合には、前記輝度信号が前記フォーカス評価値算出手段に入力されるように、前記切り替え手段を動作させることを特徴とする請求項１または２に記載のレンズ交換式カメラ。
【請求項４】
前記第２制御手段は、前記第１の情報と前記第２の情報とが一致しなかった場合、あるいは、前記第１の情報が受信されなかった場合には、前記補助光発光手段の作動を指示しない信号、もしくは、前記補助光発光手段の作動を禁止させる信号を前記カメラ本体に送信することを特徴とする請求項１または２に記載のレンズ交換式カメラ。
【請求項５】
前記カメラ本体は、前記補助光発光手段を作動させない旨を表示する表示手段を有することを特徴とする請求項４に記載のレンズ交換式カメラ。
【請求項６】
撮像光学系を透過した被写体像を撮像する固体撮像素子を有し、レンズ交換式カメラのカメラ本体に着脱自在とされたレンズユニットにおいて、
被写体像の鮮鋭度を表すフォーカス評価値を算出するフォーカス評価値算出手段と、
前記フォーカス評価値算出手段に入力する色信号を切り替える切り替え手段と、
前記切り替え手段で切り替え可能な色信号の分光特性を表す情報を記憶する記憶手段と、
前記カメラ本体と各種信号を遣り取りする通信手段と、
各部の動作を統括的に制御する制御手段とを有し、
前記制御手段は、前記記憶手段に記憶された前記色信号の分光特性を表す情報と、前記通信手段を介して前記カメラ本体から受信した、オートフォーカス用の補助光の分光特性を表す情報との比較結果を元に、前記補助光の分光特性を表す情報と一致する分光特性を有する色信号が前記フォーカス評価値算出手段に入力されるように、前記切り替え手段を動作させることを特徴とするレンズユニット。
【請求項７】
撮像光学系を透過した被写体像を撮像する固体撮像素子を有するレンズユニットが着脱自在とされたレンズ交換式カメラのカメラ本体において、
オートフォーカス用の補助光を発する補助光発光手段と、
前記補助光の分光特性を表す情報を記憶する記憶手段と、
前記レンズユニットと各種信号を遣り取りする通信手段と、
各部の動作を統括的に制御する制御手段とを有し、
前記制御手段は、前記記憶手段から前記補助光の分光特性を表す情報を読み出し、前記通信手段を介して前記補助光の分光特性を表す情報を前記レンズユニットに送信させることを特徴とするレンズ交換式カメラのカメラ本体。
【請求項８】
撮像光学系を透過した被写体像を撮像する固体撮像素子を有するレンズユニットがカメラ本体に着脱自在とされたレンズ交換式カメラにおいて、
前記カメラ本体は、異なる分光特性を有する複数のオートフォーカス用の補助光を発する補助光発光手段と、
前記補助光を切り替える切り替え手段と、
前記切り替え手段で切り替え可能な補助光の分光特性を表す第１の情報を記憶する第１記憶手段と、
前記レンズユニットと各種信号を遣り取りする第１通信手段と、
各部の動作を統括的に制御する第１制御手段とを有し、
前記レンズユニットは、被写体像の鮮鋭度を表すフォーカス評価値を算出するフォーカス評価値算出手段と、
前記フォーカス評価値算出手段に入力する色信号の分光特性を表す第２の情報を記憶する第２記憶手段と、
前記カメラ本体と各種信号を遣り取りする第２通信手段と、
各部の動作を統括的に制御する第２制御手段とを有し、
前記第２制御手段は、前記第２記憶手段から前記第２の情報を読み出し、前記第２通信手段を介して前記第２の情報を前記第１通信手段に送信させ、
前記第１制御手段は、前記第１記憶手段に記憶された前記第１の情報と、前記第１通信手段を介して受信した前記第２の情報との比較結果を元に、前記第２の情報と一致する分光特性を有する補助光が前記補助光発光手段から発せられるように、前記切り替え手段を動作させることを特徴とするレンズ交換式カメラ。
【請求項９】
前記カメラ本体または／および前記レンズユニットは、前記カメラ本体への前記レンズユニットの装着を検知する装着検知手段を有し、
前記第１、第２通信手段は、前記装着検知手段で装着が検知されたことを契機に、前記第２の情報の送受信を行うことを特徴とする請求項８に記載のレンズ交換式カメラ。
【請求項１０】
前記第１制御手段は、前記第１の情報と前記第２の情報とが一致しなかった場合、あるいは、前記第２の情報が受信されなかった場合には、前記補助光発光手段を作動させないことを特徴とする請求項８または９に記載のレンズ交換式カメラ。
【請求項１１】
前記カメラ本体は、前記補助光発光手段を作動させない旨を表示する表示手段を有することを特徴とする請求項１０に記載のレンズ交換式カメラ。
【請求項１２】
撮像光学系を透過した被写体像を撮像する固体撮像素子を有し、レンズ交換式カメラのカメラ本体に着脱自在とされたレンズユニットにおいて、
被写体像の鮮鋭度を表すフォーカス評価値を算出するフォーカス評価値算出手段と、
前記フォーカス評価値算出手段に入力する色信号の分光特性を表す情報を記憶する記憶手段と、
前記カメラ本体と各種信号を遣り取りする通信手段と、
各部の動作を統括的に制御する制御手段とを有し、
前記制御手段は、前記記憶手段から前記色信号の分光特性を表す情報を読み出し、前記通信手段を介して前記色信号の分光特性を表す情報を前記カメラ本体に送信させることを特徴とするレンズユニット。
【請求項１３】
撮像光学系を透過した被写体像を撮像する固体撮像素子を有するレンズユニットが着脱自在とされたレンズ交換式カメラのカメラ本体において、
異なる分光特性を有する複数のオートフォーカス用の補助光を発する補助光発光手段と、
前記補助光を切り替える切り替え手段と、
前記切り替え手段で切り替え可能な補助光の分光特性を表す情報を記憶する記憶手段と、
前記レンズユニットと各種信号を遣り取りする通信手段と、
各部の動作を統括的に制御する制御手段とを有し、
前記制御手段は、前記記憶手段に記憶された前記補助光の分光特性を表す情報と、前記通信手段を介して受信した、前記レンズユニットのフォーカス評価値算出手段に入力される色信号の分光特性の情報との比較結果を元に、前記色信号の分光特性の情報と一致する分光特性を有する補助光が前記補助光発光手段から発せられるように、前記切り替え手段を動作させることを特徴とするレンズ交換式カメラのカメラ本体。
【発明の詳細な説明】
【技術分野】
【０００１】
本発明は、撮像光学系と固体撮像素子とを有するレンズユニットがカメラ本体に着脱自在とされたレンズ交換式カメラ、およびレンズユニット、並びにレンズ交換式カメラのカメラ本体に関する。
【背景技術】
【０００２】
ＣＣＤなどの固体撮像素子で被写体像を撮像して得られた撮像信号をデジタルの画像データに変換し、内蔵メモリやメモリカードなどの記憶媒体に記憶するデジタルカメラが普及している。このようなデジタルカメラには、撮像光学系と固体撮像素子とを有するレンズユニットがカメラ本体に着脱自在とされた、いわゆるレンズ交換式カメラがある（特許文献１参照）。
【０００３】
ところで、現在市販されているデジタルカメラの多くは、画像データから被写体像の鮮鋭度を表すフォーカス評価値を算出し、このフォーカス評価値が最大値となったところを合焦位置とする手法を用いて、焦点調整を自動で行うオートフォーカス（ＡＦ）機能を備えている。
【０００４】
ＡＦの手法としてＴＴＬ位相差検出方式を採用したデジタルカメラには、被写体光の色温度を測定し、被写体光の波長成分に応じて発生する色収差に起因する焦点検出の誤差を補正するようにしたものが提案されている（特許文献２参照）。
【０００５】
また、ＡＦ機能を備えたデジタルカメラには、暗い場所などでＡＦ機能を有効にするために、被写体に補助光を照射する補助光発光装置が設けられたものがある（特許文献３参照）。特許文献３に記載のカメラでは、補助光発光装置の光源として、視感度特性に近い分光特性を有する緑色ＬＥＤを用いている。
【特許文献１】特開２０００−５０１３０号公報
【特許文献２】特開２０００−２６６９８８号公報
【特許文献３】特開２００３−２８７６７４号公報
【発明の開示】
【発明が解決しようとする課題】
【０００６】
ここで、特許文献２に記載されているように、被写体光の波長成分に応じて発生する色収差により、焦点検出に誤差が生じることが知られている。このため、被写体に補助光を照射した場合は、被写体光の色温度が補助光の影響を強く受けるので、焦点検出の誤差が生じ易い状況であるといえる。つまり、特許文献３に記載のカメラのように、緑色ＬＥＤからの光のみを補助光として用いる場合は、その分光特性に合わせた補正が必要となる。
【０００７】
また、補助光が単色であるにも関わらず、色収差の補正を行わずにＲＧＢ三色のデータを全て用いてフォーカス評価値を算出しようとすると、補助光以外の色は算出に寄与せず、逆にノイズとして算出結果に影響を与えるおそれがある。したがって、補助光の分光特性と、フォーカス評価値を算出するためのデータが表す色の分光特性とは、一致させることが好ましい。
【０００８】
しかしながら、特許文献１に記載のデジタルカメラでは、撮像体（レンズユニット）の制御部でカメラ本体の補助光発光装置の動作を制御しているものの、補助光の分光特性をレンズユニット側で判断することができないため、譬え補助光が単色であっても、フォーカス評価値の算出にＲＧＢ三色のデータを用いざるを得ず、焦点検出に誤差が生じるおそれがあった。
【０００９】
本発明は、上記課題を鑑みてなされたものであり、被写体に補助光を照射した場合に、誤差を生じることなく確実に焦点検出をすることができるレンズ交換式カメラ、およびレンズユニット、並びにレンズ交換式カメラのカメラ本体を提供することを目的とする。
【課題を解決するための手段】
【００１０】
上記目的を達成するために、請求項１に記載の発明は、撮像光学系を透過した被写体像を撮像する固体撮像素子を有するレンズユニットがカメラ本体に着脱自在とされたレンズ交換式カメラにおいて、前記カメラ本体は、オートフォーカス用の補助光を発する補助光発光手段と、前記補助光の分光特性を表す第１の情報を記憶する第１記憶手段と、前記レンズユニットと各種信号を遣り取りする第１通信手段と、各部の動作を統括的に制御する第１制御手段とを有し、前記レンズユニットは、被写体像の鮮鋭度を表すフォーカス評価値を算出するフォーカス評価値算出手段と、前記フォーカス評価値算出手段に入力する色信号を切り替える切り替え手段と、前記切り替え手段で切り替え可能な色信号の分光特性を表す第２の情報を記憶する第２記憶手段と、前記カメラ本体と各種信号を遣り取りする第２通信手段と、各部の動作を統括的に制御する第２制御手段とを有し、前記第１制御手段は、前記第１記憶手段から前記第１の情報を読み出し、前記第１通信手段を介して前記第１の情報を前記第２通信手段に送信させ、前記第２制御手段は、前記第２記憶手段に記憶された前記第２の情報と、前記第２通信手段を介して受信した前記第１の情報との比較結果を元に、前記第１の情報と一致する分光特性を有する色信号が前記フォーカス評価値算出手段に入力されるように、前記切り替え手段を動作させることを特徴とする。
【００１１】
前記カメラ本体または／および前記レンズユニットは、前記カメラ本体への前記レンズユニットの装着を検知する装着検知手段を有し、前記第１、第２通信手段は、前記装着検知手段で装着が検知されたことを契機に、前記第１の情報の送受信を行うことが好ましい。
【００１２】
前記レンズユニットは、前記色信号から輝度信号を生成する輝度信号生成手段を有し、前記切り替え手段は、前記色信号に加えて前記輝度信号も切り替え可能に構成されており、前記第２制御手段は、前記第１の情報と前記第２の情報とが一致しなかった場合、あるいは、前記第１の情報が受信されなかった場合には、前記輝度信号が前記フォーカス評価値算出手段に入力されるように、前記切り替え手段を動作させることが好ましい。
【００１３】
前記第２制御手段は、前記第１の情報と前記第２の情報とが一致しなかった場合、あるいは、前記第１の情報が受信されなかった場合には、前記補助光発光手段の作動を指示しない信号、もしくは、前記補助光発光手段の作動を禁止させる信号を前記カメラ本体に送信することが好ましい。この場合、前記カメラ本体は、前記補助光発光手段を作動させない旨を表示する表示手段を有することが好ましい。
【００１４】
請求項６に記載の発明は、撮像光学系を透過した被写体像を撮像する固体撮像素子を有し、レンズ交換式カメラのカメラ本体に着脱自在とされたレンズユニットにおいて、被写体像の鮮鋭度を表すフォーカス評価値を算出するフォーカス評価値算出手段と、前記フォーカス評価値算出手段に入力する色信号を切り替える切り替え手段と、前記切り替え手段で切り替え可能な色信号の分光特性を表す情報を記憶する記憶手段と、前記カメラ本体と各種信号を遣り取りする通信手段と、各部の動作を統括的に制御する制御手段とを有し、前記制御手段は、前記記憶手段に記憶された前記色信号の分光特性を表す情報と、前記通信手段を介して前記カメラ本体から受信した、オートフォーカス用の補助光の分光特性を表す情報との比較結果を元に、前記補助光の分光特性を表す情報と一致する分光特性を有する色信号が前記フォーカス評価値算出手段に入力されるように、前記切り替え手段を動作させることを特徴とする。
【００１５】
請求項７に記載の発明は、撮像光学系を透過した被写体像を撮像する固体撮像素子を有するレンズユニットが着脱自在とされたレンズ交換式カメラのカメラ本体において、オートフォーカス用の補助光を発する補助光発光手段と、前記補助光の分光特性を表す情報を記憶する記憶手段と、前記レンズユニットと各種信号を遣り取りする通信手段と、各部の動作を統括的に制御する制御手段とを有し、前記制御手段は、前記記憶手段から前記補助光の分光特性を表す情報を読み出し、前記通信手段を介して前記補助光の分光特性を表す情報を前記レンズユニットに送信させることを特徴とする。
【００１６】
請求項８に記載の発明は、撮像光学系を透過した被写体像を撮像する固体撮像素子を有するレンズユニットがカメラ本体に着脱自在とされたレンズ交換式カメラにおいて、前記カメラ本体は、異なる分光特性を有する複数のオートフォーカス用の補助光を発する補助光発光手段と、前記補助光を切り替える切り替え手段と、前記切り替え手段で切り替え可能な補助光の分光特性を表す第１の情報を記憶する第１記憶手段と、前記レンズユニットと各種信号を遣り取りする第１通信手段と、各部の動作を統括的に制御する第１制御手段とを有し、前記レンズユニットは、被写体像の鮮鋭度を表すフォーカス評価値を算出するフォーカス評価値算出手段と、前記フォーカス評価値算出手段に入力する色信号の分光特性を表す第２の情報を記憶する第２記憶手段と、前記カメラ本体と各種信号を遣り取りする第２通信手段と、各部の動作を統括的に制御する第２制御手段とを有し、前記第２制御手段は、前記第２記憶手段から前記第２の情報を読み出し、前記第２通信手段を介して前記第２の情報を前記第１通信手段に送信させ、前記第１制御手段は、前記第１記憶手段に記憶された前記第１の情報と、前記第１通信手段を介して受信した前記第２の情報との比較結果を元に、前記第２の情報と一致する分光特性を有する補助光が前記補助光発光手段から発せられるように、前記切り替え手段を動作させることを特徴とする。
【００１７】
前記カメラ本体または／および前記レンズユニットは、前記カメラ本体への前記レンズユニットの装着を検知する装着検知手段を有し、前記第１、第２通信手段は、前記装着検知手段で装着が検知されたことを契機に、前記第２の情報の送受信を行うことが好ましい。
【００１８】
前記第１制御手段は、前記第１の情報と前記第２の情報とが一致しなかった場合、あるいは、前記第２の情報が受信されなかった場合には、前記補助光発光手段を作動させないことが好ましい。この場合、前記カメラ本体は、前記補助光発光手段を作動させない旨を表示する表示手段を有することが好ましい。
【００１９】
請求項１２に記載の発明は、撮像光学系を透過した被写体像を撮像する固体撮像素子を有し、レンズ交換式カメラのカメラ本体に着脱自在とされたレンズユニットにおいて、被写体像の鮮鋭度を表すフォーカス評価値を算出するフォーカス評価値算出手段と、前記フォーカス評価値算出手段に入力する色信号の分光特性を表す情報を記憶する記憶手段と、前記カメラ本体と各種信号を遣り取りする通信手段と、各部の動作を統括的に制御する制御手段とを有し、前記制御手段は、前記記憶手段から前記色信号の分光特性を表す情報を読み出し、前記通信手段を介して前記色信号の分光特性を表す情報を前記カメラ本体に送信させることを特徴とする。
【００２０】
請求項１３に記載の発明は、撮像光学系を透過した被写体像を撮像する固体撮像素子を有するレンズユニットが着脱自在とされたレンズ交換式カメラのカメラ本体において、異なる分光特性を有する複数のオートフォーカス用の補助光を発する補助光発光手段と、前記補助光を切り替える切り替え手段と、前記切り替え手段で切り替え可能な補助光の分光特性を表す情報を記憶する記憶手段と、前記レンズユニットと各種信号を遣り取りする通信手段と、各部の動作を統括的に制御する制御手段とを有し、前記制御手段は、前記記憶手段に記憶された前記補助光の分光特性を表す情報と、前記通信手段を介して受信した、前記レンズユニットのフォーカス評価値算出手段に入力される色信号の分光特性の情報との比較結果を元に、前記色信号の分光特性の情報と一致する分光特性を有する補助光が前記補助光発光手段から発せられるように、前記切り替え手段を動作させることを特徴とする。
【発明の効果】
【００２１】
本発明のレンズ交換式カメラ、およびレンズユニット、並びにレンズ交換式カメラのカメラ本体によれば、カメラ本体は、オートフォーカス用の補助光を発する補助光発光手段と、補助光の分光特性を表す第１の情報を記憶する第１記憶手段と、レンズユニットと各種信号を遣り取りする第１通信手段と、各部の動作を統括的に制御する第１制御手段とを有し、レンズユニットは、被写体像の鮮鋭度を表すフォーカス評価値を算出するフォーカス評価値算出手段と、フォーカス評価値算出手段に入力する色信号を切り替える切り替え手段と、切り替え手段で切り替え可能な色信号の分光特性を表す第２の情報を記憶する第２記憶手段と、カメラ本体と各種信号を遣り取りする第２通信手段と、各部の動作を統括的に制御する第２制御手段とを有し、第１制御手段は、第１記憶手段から第１の情報を読み出し、第１通信手段を介して第１の情報を第２通信手段に送信させ、第２制御手段は、第２記憶手段に記憶された第２の情報と、第２通信手段を介して受信した第１の情報との比較結果を元に、第１の情報と一致する分光特性を有する色信号がフォーカス評価値算出手段に入力されるように、切り替え手段を動作させるので、補助光の分光特性と、フォーカス評価値を算出するためのデータが表す色の分光特性とを一致させることができる。したがって、被写体に補助光を照射した場合に、誤差を生じることなく確実に焦点検出をすることができる。
【発明を実施するための最良の形態】
【００２２】
図１において、本発明のデジタルカメラ２は、撮像レンズ１０を有するレンズユニット１１が、マウント１２を介してカメラ本体２ａの前面に着脱自在とされた、いわゆるレンズ交換式カメラである。
【００２３】
マウント１２は、カメラ本体２ａの開口１３に設けられたマウントリング１４、およびマウントリング１４の内周から突設された計３枚のバヨネット板１５から構成される。レンズユニット１１の装着時には、マウントリング１４がレンズユニット１１のマウントリング４１（図３参照）に当接するとともに、バヨネット板１５がレンズユニット１１の板受け４２（図３参照）に嵌合する。
【００２４】
マウントリング１４の周面には、複数の端子１６が配されている。端子１６は、マウントリング１４に形成された穴に嵌め込まれており、この穴から出没可能なように、バネ（図示せず）で突出する方向に付勢されている。この端子１６には、シリアルドライバ６８（図４参照）を介してレンズユニット１１と信号を遣り取りする信号端子や、電力供給部７０（図４参照）の電力をレンズユニット１１に供給するための電源端子が用意されている。レンズユニット１１の装着時には、端子１６がレンズユニット１１側の端子４３（図３参照）と接触し、これにより、カメラ本体２ａとレンズユニット１１とが電気的に接続される。
【００２５】
カメラ本体２ａの前面には、マウント１２の他に、ファインダ対物窓１７、ストロボ発光窓１８、バリア１９、および補助光発光窓２０が設けられている。また、カメラ本体２ａの上面には、レリーズボタン２１および電源ボタン２２が設けられている。さらに、側面には、メモリカード５９（図４参照）が着脱自在に装填されるメモリカードスロットやＵＳＢコネクタ５４（図４参照）を覆う蓋２３が設けられている。
【００２６】
レリーズボタン２１は、２段階押しのスイッチとなっている。被写体のフレーミングの後に、レリーズボタン２１を軽く押圧（半押し）すると、自動露出調整（ＡＥ）、自動焦点調整（ＡＦ）などの各種撮影準備処理が施される。この状態でレリーズボタン２１をもう１度強く押圧（全押し）すると、撮影準備処理が施された１画面分の撮像信号が画像データに変換された後、後述する画像処理および圧縮処理が施され、メモリカード５９に記憶される。なお、レリーズボタン２１からの操作信号は、図示しない専用の信号線を介して、カメラ本体２ａとレンズユニット１１の両方にリアルタイムで送信される。
【００２７】
図２において、デジタルカメラ２の背面には、ファインダ接眼窓３０、液晶表示器（ＬＣＤ）３１、および操作部３２が設けられている。ＬＣＤ３１は、撮影した画像やいわゆるスルー画像、各種メニュー画面を表示する。操作部３２は、モード切替えスイッチ３３、撮像レンズ１０のズームレンズをワイド側、テレ側に変倍するズーム操作ボタン３４、および、ＬＣＤ３１にメニュー画面を表示させる際や、選択内容を決定する際に操作されるメニューボタン３５などから構成される。
【００２８】
デジタルカメラ２では、静止画撮影を行う静止画撮影モード、動画撮影を行う動画撮影モード、撮影した画像をＬＣＤ３１に表示する再生モード、および各種設定を行う設定モードが選択可能となっている。これらのモードの切り替えは、モード切替えスイッチ３３をスライド操作させることで行われる。なお、動画撮影モードでは、動画の撮影とともに、図示しないマイクロホンを介して周囲の音声が収録される。
【００２９】
図３において、レンズユニット１１の背面には、マウント１２と対応するマウント４０が設けられている。マウント４０は、マウントリング４１、および板受け４２から構成される。板受け４２は、バヨネット板１５が嵌め入れられる挿入部４２ａと、バヨネット板１５が当接する当接部４２ｂとを備えている。
【００３０】
マウントリング４１の周面には、マウントリング１４の端子１６と対応する複数の端子４３が配されている。端子４３は、マウントリング４０に形成された穴に没するように嵌め込まれている。この端子４３には、シリアルドライバ１０７（図６参照）を介してカメラ本体２ａと信号を遣り取りする信号端子や、カメラ本体２ａからの電力を電力供給部１０８（図６参照）に供給するための電源端子が用意されている。
【００３１】
カメラ本体２ａの電気的構成を示す図４において、ＣＰＵ５０は、バス５１を介してカメラ本体２ａの各部を統括的に制御する。システムメモリ５２は、撮影シーケンスを行うための各種プログラムが記憶されるＲＯＭや、プログラムの実行に必要な各種データが一時記憶されるＲＡＭから構成される。不揮発性メモリ５３は、ＥＥＰＲＯＭなどの書き換え可能な記憶媒体からなり、カメラ本体２ａを動作させるために必要な各種データが記憶される。また、不揮発性メモリ５３には、後述する補助光の分光特性を表す情報（以下、第１の情報と表記する。）が記憶されている。ＣＰＵ５０は、システムメモリ５２のＲＯＭや不揮発性メモリ５３に記憶されたプログラムやデータを作業用メモリであるＲＡＭに読み出し、これらに基づいてカメラ本体２ａの各部の制御を行う。
【００３２】
ＵＳＢコネクタ５４には、ＵＳＢケーブルが接続され、ＵＳＢドライバ５５を介して、パーソナルコンピュータなどの外部機器との間でデータの送受信を行う。Ｉ／Ｏポート５６には、前述の操作部３２が接続され、操作部３２を介して入力された信号をＣＰＵ５０に送信する。ＣＰＵ５０は、Ｉ／Ｏポート５６から送信された信号に応じて、カメラ本体２ａの各部を動作させる。
【００３３】
画像圧縮・伸張回路５７は、レンズユニット１１のデジタル信号処理回路１０３（図６参照）で各種信号処理が施された画像データに対して、所定の圧縮形式（例えばＪＰＥＧ形式）で圧縮処理を施す。圧縮処理後の画像データは、カードＩ／Ｆ５８を経由して、メモリカード５９に記憶される。
【００３４】
フレームメモリ６０には、デジタル信号処理回路１０３で各種信号処理が施された１フレーム分の画像データが書き込まれる。ＬＣＤドライバ６１は、フレームメモリ６０に書き込まれた画像データをＮＴＳＣ方式に変換し、ＬＣＤ３１に表示させる。
【００３５】
補助光発光装置６２は、補助光制御回路６３により動作制御され、補助光発光窓２０から被写体に向けて補助光を発する。図５に示すように、補助光発光装置６２は、ＬＥＤ８０と、ＬＥＤ８０に電力を供給する定電流源８１と、ＬＥＤ８０から発せられた光を補助光発光窓２０側に反射させるリフレクタ８２と、ＬＥＤ８０から発せられた光を画角の中心に向けて集光する集光レンズ８３とを備えている。
【００３６】
ＬＥＤ８０は、静止画撮影モード下において、後述するＡＥ／ＡＦ検出回路１０５（図６参照）による被写体の明るさの検出結果が所定値以下であった場合、レリーズボタン２１の半押しに伴うＡＦ時に、補助光制御回路６３のトランジスタ８４によりオンされ、ＡＦが終了されるとオフされる。なお、補助光発光装置６２は、ＬＥＤ８０の光の照射方向とレンズユニット１１の光軸とが、ＣＣＤ９９（図６参照）の感度とＬＥＤ８０から発せられる光の強度から決定される補助光の到達限界点で交叉するように設計されている。
【００３７】
図４に戻って、ストロボ装置６４は、ストロボ制御回路６５により動作制御され、ストロボ発光窓１８から被写体に向けてストロボ光を発する。タイマ６６は、セルフ撮影時の撮影の遅延時間などを計時する。カレンダー・時計回路６７は、撮影日時の管理や、カメラ本体２ａを動作させる際に必要なシステムクロックを発生させる。
【００３８】
シリアルドライバ６８は、端子１６によるレンズユニット１１との画像データや各種制御信号の授受を媒介する。装着検知部６９は、レンズユニット１１の装脱を検知し、この検知結果をＣＰＵ５０に送信する。装着検知の方法は、カメラ本体２ａ側の端子１６のうちの一つを所定の電圧でつり、レンズユニット１１側の対応する端子４３をアースに接続しておき、端子１６から繋がる信号線の出力（レンズユニット１１が装着された場合はＬｏｗ、装着されていない場合はＨｉｇｈ）をポーリングして確認することで行う。
【００３９】
ＣＰＵ５０は、装着検知部６９でレンズユニット１１のカメラ本体２ａへの装着が検知されたことを契機に、第１の情報を不揮発性メモリ５３から読み出し、この情報を、シリアルドライバ６８を介してレンズユニット１１に送信させる。
【００４０】
電力供給部７０は、バッテリーや電池からの電力をデジタルカメラ２の各部に供給するとともに、端子１６を介して、レンズユニット１１に電力を供給する。電力供給部７０には、出力電圧を監視するためのＡ／Ｄ変換器や、バッテリーや電池の電圧を各部に適した所定の電圧に変換するＤＣ／ＤＣ変換器、電源オン／オフの際の各部の起動順序、タイミングを制御する電源制御回路などが設けられている。
【００４１】
レンズユニット１１の電気的構成を示す図６において、ＣＰＵ９０は、バス９１を介してレンズユニット１１の各部を統括的に制御する。システムメモリ９２は、各種プログラムが記憶されるＲＯＭや、プログラムの実行に必要な各種データが一時記憶されるＲＡＭから構成される。不揮発性メモリ９３は、ＥＥＰＲＯＭなどの書き換え可能な記憶媒体からなり、レンズユニット１１を動作させるために必要な各種データが記憶される。また、不揮発性メモリ９３には、後述する切り替えスイッチ１０６で切り替え可能な色信号の分光特性を表す情報（以下、第２の情報と表記する。）が記憶されている。ＣＰＵ９０は、システムメモリ９２のＲＯＭや不揮発性メモリ９３に記憶されたプログラムやデータを作業用メモリであるＲＡＭに読み出し、これらに基づいてレンズユニット１１の各部の制御を行う。
【００４２】
撮像光学系を構成する撮像レンズ１０、および絞り９４には、レンズモータ９５、およびアイリスモータ９６が接続されている。これらのモータ９５、９６はステッピングモータからなり、ＣＰＵ９０に接続されたモータドライバ９７、９８から送信される駆動パルスにより動作制御され、レリーズボタン２１の半押しに伴う撮影準備処理を行う。
【００４３】
レンズモータ９５は、ズーム操作ボタン３４の操作に連動して、撮像レンズ１０のズームレンズをワイド側、あるいはテレ側に移動させる。また、被写体距離やズームレンズの変倍に応じて撮像レンズ１０のフォーカスレンズを移動させ、撮影条件が最適となるように焦点調整を行う。アイリスモータ９６は、絞り９４を動作させ、露出調整を行う。
【００４４】
撮像レンズ１０の背後には、撮像レンズ１０を透過した被写体像が撮像されるＣＣＤ９９が配置されている。ＣＣＤ９９には、ＣＰＵ９０によって制御されるタイミングジェネレータ（ＴＧ）１００が接続され、このＴＧ１００から入力されるタイミング信号（クロックパルス）により、電子シャッタのシャッタ速度が決定される。
【００４５】
ＣＣＤ９９から出力された撮像信号は、アナログ信号処理回路１０１に入力される。アナログ信号処理回路１０１は、ＣＣＤ９９から出力された撮像信号を、ＣＣＤ９９の各セルの蓄積電荷量に正確に対応したＲ、Ｇ、Ｂの画像データとして出力し、所定の増幅率で増幅する。Ａ／Ｄ変換器（Ａ／Ｄ）１０２は、アナログ信号処理回路１０１で増幅されたアナログの画像データを、デジタルの画像データに変換する。
【００４６】
デジタル信号処理回路１０３は、Ａ／Ｄ１０２から出力されたデジタル画像データに対して、輪郭強調、ガンマ補正、ホワイトバランス調整などの各種信号処理を施す。輝度信号生成回路１０４は、デジタル信号処理回路１０３で処理が施された画像データから、輝度信号Ｙと色差信号Ｃｒ、Ｃｂとを生成する。
【００４７】
ＡＥ／ＡＦ検出回路１０５は、被写体の明るさを検出して、露出量、すなわち電子シャッタのシャッタ速度、および絞り９４の絞り値が撮影に適切か否かを検出するとともに、Ａ／Ｄ１０２から出力された画像データから、被写体像の鮮鋭度を表すフォーカス評価値を算出し、撮像レンズ１０の焦点調整が撮影に適切か否かを検出する。このＡＥ／ＡＦ検出回路１０５は、レリーズボタン２１の半押し時に、バス９１を介してＣＰＵ９０に検出結果を逐次送信する。ＣＰＵ９０は、ＡＥ／ＡＦ検出回路１０５から送信される検出結果に基づいて、撮像レンズ１０、絞り９４、およびＣＣＤ９９の動作を制御する。
【００４８】
Ａ／Ｄ１０２および輝度信号生成回路１０４と、ＡＥ／ＡＦ検出回路１０５との間には、ＣＰＵ９０により動作制御される切り替えスイッチ１０６が接続されている。切り替えスイッチ１０６は、通常は、輝度信号生成回路１０４から出力される輝度信号Ｙの端子に接続されており、Ａ／Ｄ１０２から出力される画像データの赤と緑の色信号Ｒ、Ｇ、および輝度信号Ｙの３つの信号のうち、ＡＥ／ＡＦ検出回路１０５に入力する信号を切り替える。
【００４９】
ＣＰＵ９０は、後述するシリアルドライバ１０７を介してレンズユニット１１から第１の情報を受信した際に、不揮発性メモリ９３に記憶された第２の情報と第１の情報とを比較し、この比較結果を元に、第１の情報と一致する分光特性を有する色信号がＡＥ／ＡＦ検出回路１０５に入力されるように、切り替えスイッチ１０６を動作させる。
【００５０】
すなわち、ＬＥＤ８０として赤色ＬＥＤが用いられ、第１の情報が赤色の分光特性を表していた場合は、切り替えスイッチ１０６を色信号Ｒの端子に切り替える。また、ＬＥＤ８０として緑色ＬＥＤが用いられ、第１の情報が緑色の分光特性を表していた場合は、切り替えスイッチ１０６を色信号Ｇの端子に切り替える。
【００５１】
一方、補助光発光装置６２の光源としてストロボ装置６４などの白色光源が用いられ、第１の情報と第２の情報とが一致しなかった場合、あるいは、不揮発性メモリ５３に第１の情報が元々記憶されていないなどして、第１の情報が受信されなかった場合には、切り替えスイッチ１０６を輝度信号Ｙの端子に切り替える。
【００５２】
シリアルドライバ１０７は、デジタル信号処理回路１０３から出力されたデジタルの画像データをカメラ本体２ａに送信するなど、端子４３によるカメラ本体２ａとのデータや各種制御信号の授受を媒介する。
【００５３】
電力供給部１０８は、端子４３を介してカメラ本体２ａの電力供給部７０から供給された電力を、レンズユニット１１の各部に供給する。電力供給部１０８には、電力供給部７０と同様に、Ａ／Ｄ変換器やＤＣ／ＤＣ変換器、電源制御回路などが設けられている。
【００５４】
次に、上記構成を有するデジタルカメラ２の動作について、図７〜図９に示すフローチャートを参照して説明する。まず、レンズユニット１１をカメラ本体２ａに装着する際には、バリア１９を遮蔽位置から露呈位置に移動させた後、板受け４２の挿入部４２ａにバヨネット板１５が入り込むように、双方のマウントリング１４、４１を当接させる。次いで、板受け４２の当接部４２ｂにバヨネット板１５が当接するように、レンズユニット１１を図１の時計回りに回転させる。これにより、マウント１２およびマウント４０を介して、レンズユニット１１がカメラ本体２ａに装着される。また、このとき、端子１６が端子４３と接触して、レンズユニット１１とデジタルカメラ２とが電気的に接続される。
【００５５】
図７において、レンズユニット１１のカメラ本体２ａへの装着が装着検知部６９で検知されると、カメラ本体２ａの電力供給部７０からレンズユニット１１の電力供給部１０８に電力が供給され、レンズユニット１１の電源がオンされる。レンズユニット１１では、撮像レンズ１０をホームポジションに移動させるなど、電源オンに伴う初期化が実行される。
【００５６】
初期化後、レンズユニット１１からカメラ本体２ａに起動完了を通知する信号が送信される。そして、ＣＣＤ９９の画素数、スルー画像表示のフレームレート、設定可能なシャッタ速度、絞り値など、デジタルカメラ２を動作させるために必要な基本的なデータがカメラ本体２ａとレンズユニット１１との間で送受信される。また、このとき、図８に示すように、基本データの送受信の一環として、カメラ本体２ａでは、ＣＰＵ５０の制御の下に第１の情報が不揮発性メモリ５３から読み出され、この情報がレンズユニット１１に送信される。
【００５７】
レンズユニット１１では、受信した第１の情報と、不揮発性メモリ９３に記憶された第２の情報とが比較される。そして、第１の情報が赤色の分光特性を表すものであった場合は、ＣＰＵ９０の制御の下に、切り替えスイッチ１０６が色信号Ｒの端子に切り替えられる。また、第１の情報が緑色の分光特性を表すものであった場合は、切り替えスイッチ１０６が色信号Ｇの端子に切り替えられる。
【００５８】
一方、第１の情報が赤色、緑色いずれの分光特性も表すものでなかった場合、あるいは、第１の情報が所定時間内に受信されなかった場合には、切り替えスイッチ１０６が輝度信号Ｙの端子に切り替えられる。このようにして、補助光の分光特性とＡＥ／ＡＦ検出回路１０５に入力する色信号の分光特性とが一致させられる。基本データの送受信が完了し、切り替えスイッチ１０６の動作が終了すると、カメラ本体２ａ、およびレンズユニット１１は待機状態となる。
【００５９】
静止画撮影モード下において、上記の待機状態時には、撮像レンズ１０、絞り９４を介して入射した被写体像は、ＣＣＤ９９により光電変換され、アナログ信号処理回路１０１でサンプリング、増幅されて、Ａ／Ｄ１０２でデジタルの画像データに変換される。
【００６０】
Ａ／Ｄ１０２でデジタル変換された画像データは、デジタル信号処理回路１０３で各種処理を施された後、カメラ本体２ａに送信される。カメラ本体２ａでは、レンズユニット１１から受信したデジタルの画像データがフレームメモリ６０に格納され、ＬＣＤドライバ６１を介してＬＣＤ３１にスルー画像として表示される。
【００６１】
この状態でレリーズボタン２１が半押しされると、図９に示すように、レンズユニット１１では、ＡＥ／ＡＦ検出回路１０５で被写体の明るさが検出され、この明るさに見合った露出量となるように絞り値やシャッタ速度などを調整するＡＥが実行される。
【００６２】
ＡＥ／ＡＦ検出回路１０５による被写体の明るさの検出結果が所定値以下であった場合、補助光の発光を指示する信号（以下、発光指示信号と表記する。）がレンズユニット１１からカメラ本体２ａに送信される。一方、被写体の明るさの検出結果が所定値以上であった場合は、後述するＡＥに移行する。
【００６３】
レンズユニット１１から発光指示信号を受信した場合、カメラ本体２ａでは、補助光制御回路６３を介して、ＣＰＵ５０により補助光発光装置６２のＬＥＤ８０が点灯される。これにより、補助光発光窓２０から被写体に向けて補助光が照射される。補助光の発光後、補助光の発光を確認するための信号（以下、発光確認信号と表記する。）がカメラ本体２ａからレンズユニット１１に送信される。
【００６４】
カメラ本体２ａからの発光確認信号が受信されると、レンズユニット１１では、ＡＥ／ＡＦ検出回路１０５にて、撮像レンズ１０のフォーカスレンズを移動させながらフォーカス評価値を算出するＡＦが実行される。このとき、ＡＥ／ＡＦ検出回路１０５には、切り替えスイッチ１０６により、補助光の分光特性と一致した分光特性を有する信号が入力される。ＡＦ後、補助光の消灯を指示する信号（以下、消灯指示信号と表記する。）がレンズユニット１１からカメラ本体２ａに送信される。
【００６５】
レンズユニット１１から消灯指示信号が受信されると、カメラ本体２ａでは、補助光制御回路６３を介して、ＣＰＵ５０により補助光発光装置６２のＬＥＤ８０が消灯される。そして、撮影準備処理が完了した旨を通知する信号（以下、準備処理完了通知信号と表記する。）がレンズユニット１１からカメラ本体２ａに送信され、撮影準備処理が完了する。
【００６６】
撮影準備処理が完了した後、レリーズボタン２１の全押しにより撮影が実行されると、そのときフレームメモリ６０に格納されていた画像データが画像圧縮・伸長回路５８で圧縮処理され、カードＩ／Ｆ５８を経由してメモリカード５９に記憶される。
【００６７】
以上詳細に説明したように、デジタルカメラ２は、補助光の分光特性を表す第１の情報と、切り替えスイッチ１０６で切り替え可能な色信号の分光特性を表す第２の情報との比較結果を元に切り替えスイッチ１０６を動作させ、補助光の分光特性とＡＥ／ＡＦ検出回路１０５に入力する色信号の分光特性とを一致させるようにしたので、補助光の影響を受けて焦点検出に誤差が生じるおそれがない。
【００６８】
また、レンズユニット１１の装着を装着検知部６９で検知したことを契機に、第１の情報を送受信するようにしたので、レンズユニットを交換した際に切り替えスイッチ１０６の端子を手動で設定変更する手間が省け、常に最適な環境下で撮影を行うことができる。
【００６９】
さらに、第１の情報と第２の情報とが一致しなかった場合、あるいは、第１の情報が受信されなかった場合に、輝度信号ＹをＡＥ／ＡＦ検出回路１０５に入力させるようにしたので、どのような分光特性を有する補助光にも対応することができ、補助光が発光されないでＡＦを実行することができないなどの不都合が生じるおそれがない。
【００７０】
上記実施形態では、通常のＡＦ時は輝度信号ＹをＡＥ／ＡＦ検出回路１０５に入力しているが、色信号Ｒ、Ｇ、輝度信号Ｙのうち、ＡＥ／ＡＦ検出回路１０５に入力する信号をレンズユニット１１側で適宜選択するようにしてもよい。
【００７１】
なお、本発明は、図１０に示す輝度信号生成回路を持たないレンズユニット１１０についても有効である。この場合、切り替えスイッチ１１１は、色信号Ｒ、Ｇのみを切り替え可能となっている。また、図１１に示すように、第１の情報が赤色、または緑色の分光特性のいずれでもなく、第２の情報に一致しなかった場合、あるいは、第１の情報が受信されなかった場合には、補助光の発光を許可するか否かを示す発光フラグがオフされ（第１の情報と第２の情報とが一致した場合はオン）、補助光発光装置６２の動作を規定する信号（以下、動作規定信号と表記する。）がレンズユニット１１０からカメラ本体２ａに送信される。
【００７２】
レンズユニット１１０から動作規定信号が受信されると、カメラ本体２ａでは、動作規定信号の内容に応じて発光フラグがオンまたはオフされる。そして、図１２に示すように、レリーズボタン２１が半押しされて撮影準備処理が開始されたときに、発光フラグがオフされていた場合は、被写体の明るさが所定値以下であったときにおいても、ＡＥ終了後、レンズユニット１１０からカメラ本体２ａに発光指示信号は送信されず、レンズユニット１１０における処理はＡＦに移行される。
【００７３】
一方、カメラ本体２ａでは、レンズユニット１１０から発光指示信号を受信した場合においても、発光フラグがオフされていた場合は、補助光は発光されない。また、このとき、図１３に示すように、補助光発光装置６２を作動させない旨を報せる警告メッセージ１２０がＬＣＤ３１に表示される。このようにすると、無駄に補助光を発光する機会が少なくて済み、消費電力を節約することができる。なお、補助光発光装置６２を作動させない旨を報せる方法としては、上記のような警告メッセージ１２０の表示に代えて、あるいはこれに加えて、警告ランプや音声、振動などを用いてもよい。また、発光フラグがオフされていた場合に、レンズユニット１１０からカメラ本体２ａに補助光発光装置６２の作動を禁止する信号を送信するようにしてもよい。
【００７４】
上記実施形態では、レンズユニット１１、１１０側で、補助光の分光特性とＡＥ／ＡＦ検出回路１０５に入力する色信号の分光特性とを一致させるようにしているが、この逆、つまり、カメラ本体側で、ＡＥ／ＡＦ検出回路１０５に入力する色信号の分光特性に補助光の分光特性を一致させるようにしてもよい。以下、この場合の実施形態を、図１４〜図１７を参照して説明する。
【００７５】
図１４に示すカメラ本体１３０ａは、異なる分光特性を有する複数のオートフォーカス用の補助光を発する補助光発光装置１３１を備えている。図１５に示すように、補助光発光装置１３１は、赤色ＬＥＤ１４０ａ、緑色ＬＥＤ１４０ｂの２色のＬＥＤを有しており、これらのＬＥＤ１４０ａ、１４０ｂは、補助光制御装置１３２のトランジスタ１４１ａ、１４１ｂにより、各々独立してオン／オフされる。そして、トランジスタ１４１ａ、１４１ｂで切り替え可能な補助光の分光特性を表す情報（以下、第１の情報と表記する。）が不揮発性メモリ１３３（図１４参照）に記憶されている。
【００７６】
また、図１６に示すレンズユニット１５０は、Ａ／Ｄ１０２からの色信号（この場合はＧ）に基づいて、ＡＥ、ＡＦの各処理を実行するＡＥ／ＡＦ検出回路１５１を有し、この色信号の分光特性を表す情報（以下、第２の情報と表記する。）が不揮発性メモリ１５２に記憶されている。
【００７７】
続いて、上記構成を有するカメラ本体１３０ａとレンズユニット１５０とを用いた場合の動作について、図１７に示すフローチャートを参照して説明する。まず、図７に示すレンズユニット装着後の初期化や基本データの送受信などの処理が終了した後、基本データの送受信の一環として、第２の情報を要求する信号（以下、情報要求信号と表記する。）がカメラ本体１３０ａからレンズユニット１５０に送信される。
【００７８】
カメラ本体１３０ａから情報要求信号を受信すると、レンズユニット１５０では、ＣＰＵ９０の制御の下に第２の情報が不揮発性メモリ１５２から読み出され、この情報がカメラ本体１３０ａに送信される。
【００７９】
カメラ本体１３０ａでは、受信した第２の情報と、不揮発性メモリ１３３に記憶された第１の情報とが比較される。そして、第２の情報が赤色の分光特性を表すものであった場合は、ＣＰＵ９０の制御の下に、トランジスタ１４１ａにより赤色ＬＥＤ１４０ａがオンされる。また、第２の情報が緑色の分光特性を表すものであった場合は、トランジスタ１４１ｂにより緑色ＬＥＤ１４０ｂがオンされる。さらに、第２の情報が輝度信号Ｙの分光特性を表すものであった場合は、トランジスタ１４１ａ、１４１ｂにより赤色ＬＥＤ１４０ａ、緑色ＬＥＤ１４０ｂが両方オンされる。このようにして、カメラ本体１３０ａ側で、補助光の分光特性とＡＥ／ＡＦ検出回路１０５に入力する色信号の分光特性とが一致させられる。
【００８０】
一方、第２の情報が赤色、緑色、輝度信号Ｙいずれの分光特性も表すものでなかった場合、あるいは、第２の情報が所定時間内に受信されなかった場合には、発光フラグがオフされる。その後、発光フラグの状態を示す動作規定信号がカメラ本体１３０ａからレンズユニット１５０に送信される。レンズユニット１５０では、受信した動作規定信号が記憶される。以降、図１２と同様の処理が実行され、撮影準備処理が完了される。
【００８１】
言う迄もないが、カメラ本体側で分光特性を一致させる図１４〜図１７に示す例についても、レンズユニット１１側で分光特性を一致させる例と同様の効果を得ることができる。
【００８２】
上記実施形態では、補助光およびフォーカス評価値の算出に用いる信号として、色信号Ｒ、Ｇ、および輝度信号Ｙを例示して説明しているが、その他の信号を用いてもよく、装置の仕様に応じて適宜変更することが可能である。
【図面の簡単な説明】
【００８３】
【図１】デジタルカメラの正面外観斜視図である。
【図２】デジタルカメラの背面外観平面図である。
【図３】レンズユニットの外観斜視図である。
【図４】カメラ本体の内部構成を示すブロック図である。
【図５】補助光発光装置の概略構成を示す図である。
【図６】レンズユニットの内部構成を示すブロック図である。
【図７】カメラ本体およびレンズユニットの動作手順を示すフローチャートである。
【図８】カメラ本体およびレンズユニットの動作手順を示すフローチャートである。
【図９】カメラ本体およびレンズユニットの動作手順を示すフローチャートである。
【図１０】レンズユニットの別の実施形態を示すブロック図である。
【図１１】図１０に示すレンズユニットを用いた場合のカメラ本体およびレンズユニットの動作手順を示すフローチャートである。
【図１２】図１０に示すレンズユニットを用いた場合のカメラ本体およびレンズユニットの動作手順を示すフローチャートである。
【図１３】ＬＣＤに警告メッセージを表示した状態を示す図である。
【図１４】カメラ本体の別の実施形態を示すブロック図である。
【図１５】図１４に示すカメラ本体の補助光発光装置の概略構成を示す図である。
【図１６】レンズユニットのさらに別の実施形態を示すブロック図である。
【図１７】図１４に示すカメラ本体および図１６に示すレンズユニットを用いた場合のカメラ本体およびレンズユニットの動作手順を示すフローチャートである。
【符号の説明】
【００８４】
２  デジタルカメラ
２ａ、１３０ａ  カメラ本体
１０  撮像レンズ
１１、１１０、１５０  レンズユニット
２１  レリーズボタン
３１  液晶表示器（ＬＣＤ）
５０  ＣＰＵ
５３、１３３  不揮発性メモリ
６２、１３１  補助光制御装置
６８  シリアルドライバ
６９  装着検知部
８０、１４０ａ、１４０ｂ  ＬＥＤ
９０  ＣＰＵ
９３、１５２  不揮発性メモリ
９４  絞り
９９  ＣＣＤ
１０４  輝度信号生成回路
１０５、１５１  ＡＥ／ＡＦ検出回路
１０６、１１１  切り替えスイッチ
１０７  シリアルドライバ
１２０  警告メッセージ
【図１】
0004659586.tif 000002
【図２】
0004659586.tif 000003
【図３】
0004659586.tif 000004
【図４】
0004659586.tif 000005
【図５】
0004659586.tif 000006
【図６】
0004659586.tif 000007
【図７】
0004659586.tif 000008
【図８】
0004659586.tif 000009
【図９】
0004659586.tif 000010
【図１０】
0004659586.tif 000011
【図１１】
0004659586.tif 000012
【図１２】
0004659586.tif 000013
【図１３】
0004659586.tif 000014
【図１４】
0004659586.tif 000015
【図１５】
0004659586.tif 000016
【図１６】
0004659586.tif 000017
【図１７】
0004659586.tif 000018